(57)【要約】【課題】  放送により多数の動画データを蓄積した動画データ記録再生装置において、高速な動画データ検索をおこなえる動画データ記録再生装置を提供することにある。【解決手段】  本発明の動画データ記録再生装置は、第１の放送ストリームと前記第１の放送ストリームと同じ番組内容の簡易動画放送である第２の放送ストリームを含む地上波デジタル放送の動画データ記録再生装置であって、前記第１と前記第２の放送ストリームを番組ごとに記録する動画データ記録部と、前記第１と前記第２の放送ストリームに含まれる時刻情報から前記第１と前記第２の放送ストリームとの時間同期情報を生成する時間同期情報生成部と、前記時間同期情報生成部により生成した時間同期情報を番組ごとに記録する時間同期情報記録部とを備えるようにし、前記第１の放送ストリームと前記第２の放送ストリームの表示切替えを容易にした。【選択図】図２
2008277930.tif 000002
【特許請求の範囲】
【請求項１】
地上波デジタル放送の動画データの記録再生を行う録画記録再生装置において、
前記地上波デジタル放送は、第１の放送ストリームと前記第１の放送ストリームと同じ番組内容の簡易動画放送である第２の放送ストリームを含み、
前記第１の放送ストリームと前記第２の放送ストリームを番組ごとに記録する動画データ記録部と、
前記第１の放送ストリームと前記第２の放送ストリームに含まれる時刻情報から前記第１の放送ストリームと前記第２の放送ストリームとの時間同期情報を生成する時間同期情報生成部と、
前記時間同期情報生成部により生成した時間同期情報を番組ごとに記録する時間同期情報記録部とを備え、前記第１の放送ストリームと前記第２の放送ストリームの表示切替を容易にしたことを特徴とする動画記録再生装置。
【請求項２】
請求項１に記載の動画記録再生装置において、
前記時間同期情報記録部は、番組ごとに、
再生時刻と前記第１の放送ストリームの記録アドレスと前記第２の放送ストリームの記録アドレスとを対応付けて記憶することを特徴とする動画記録再生装置。
【請求項３】
請求項１あるいは２に記載の動画記録再生装置において、さらに、
前記動画データ記録部に記録された複数の第２の放送ストリームの動画データを再生する動画案内部を備えたことを特徴とする動画記録再生装置。
【請求項４】
請求項３に記載の動画記録再生装置において、
前記動画案内部は、再生する複数の第２の放送ストリームの番組リストをもち、再生中の第２の放送ストリームが終了すると前記番組リストのつぎの第２の放送ストリームを再生することを特徴とする動画記録再生装置。
【請求項５】
地上波デジタル放送の動画データの記録再生をおこなう録画記録再生装置において、
前記地上波デジタル放送は、第１の放送ストリームと前記第１の放送ストリームと同じ番組内容の簡易動画放送である第２の放送ストリームを含み、
前記第２の放送ストリームを基に映像データの特徴部分を抽出する抽出簡易動画データ生成部と、
前記第１の放送ストリームと前記抽出簡易動画データ生成部により生成された第３の放送ストリームを番組ごとに記録する動画データ記録部と、
前記第１の放送ストリームと前記第３の放送ストリームに含まれる時刻情報から前記第１の放送ストリームと前記第３の放送ストリームとの時間同期情報を生成する時間同期情報生成部と、
前記時間同期情報生成部により生成した時間同期情報を番組ごとに記録する時間同期情報記録部とを備え、前記第１の放送ストリームと前記第３の放送ストリームの表示切替を容易にしたことを特徴とする動画記録再生装置。
【発明の詳細な説明】
【技術分野】
【０００１】
本発明はマルチメディア処理システムに関し、１セグ放送ならびに１２セグ放送の地上ディジタル放送におけるストリームデータを用いた、動画データの記録再生装置に適用して有効な技術に関する。
【背景技術】
【０００２】
ハードディスクやフラッシュメモリといった記憶装置の大容量化、インターネットを用いた放送や地上ディジタル放送の開始などによる放送の多チャンネル化に伴い、HDD内蔵DVDレコーダなどによる多番組録画が進展している。これにより、放送受信者は個人のストレージ機器に対して、多くの動画データを蓄積し、それらを取捨選択しながら視聴されている。また今後、ある地域において受信が可能なチャンネルを全チャンネル録画することも考えられている。
【０００３】
ここで、動画データとは映像データ、音声データ、字幕データ、時間情報、電子番組情報などが含まれるものとし、例えばＭＰＥＧ（Ｍｏｖｉｎｇ  Ｐｉｃｔｕｒｅ  Ｃｏｄｉｎｇ  Ｅｘｐｅｒｔｓ  Ｇｒｏｕｐ／Ｍｏｖｉｎｇ  Ｐｉｃｔｕｒｅ  Ｅｘｐｅｒｔｓ  Ｇｒｏｕｐ）の技術によって圧縮され、地上ディジタル放送の電波に乗って通信されるデータ放送ストリームなどがこれに含まれる。
【０００４】
上記の圧縮技術により圧縮された動画データを効率よく視聴する技術として、特許文献１に開示されているダイジェスト再生技術がある。この特許文献１では、録画した動画データから、重要なシーン、データの中で盛り上がっているシーンを自動的に抽出する技術が述べられている。具体的には、字幕情報や音声データといった動画データの内容から、それぞれの場面ごとにランク付けを行い、動画データの特徴的な部分を抽出する。これにより、動画データ内の重要シーンのみを切り出し、効率的な動画データの視聴を提供する。上記特許文献１の技術によれば、自動的に動画データ内の重要シーンの抽出することができるので、効率的な番組視聴が可能となる。
【０００５】
しかし、大量の放送データを蓄積している場合には、その中から視聴する番組を選択するのが困難となる問題がある。詳しくは、選択された動画再生については先頭から表示されるもので、実際に番組の詳細を高速に検索することは難しい。
【０００６】
複数の動画データから視聴したい動画データを選択するのに際し、録画されたデータの一部を静止画としてサムネイル表示するグラフィカルユーザインタフェースが実用化されている。ここでサムネイル表示は、例えば、ＪＰＥＧ画像による複数チャンネル表示や、それらサムネイル表示された動画データの中で選択された１チャンネルを動画再生表示する方法が知られている。
【０００７】
また、複数のサムネイル画像が１画面に表示されており、そのうちの１つのサムネイル画像を、動画データの縮小表示再生に置き換え、動画データの先頭から再生するグラフィカルユーザインタフェースが実用化されている。
【０００８】
【特許文献１】特開２００６−１８０３０６号公報
【発明の開示】
【発明が解決しようとする課題】
【０００９】
今後、全チャンネル録画を行い短い時間で嗜好の番組を自身で選択し視聴することを考慮するならば、録画された多数の録画データから、高速に動画データを検索するための技術が求められる。
【００１０】
しかし従来技術によれば、縮小表示とはいえ、動画データの再生処理では録画されたデータそのものが処理されるため処理負荷が大きい。また、前述したＭＰＥＧ等の技術によって圧縮されたデータにおいて、Ｉピクチャのみの再生を行うといった方法も実現されるが、画像サイズは相変わらず大きく、デコード装置にはIピクチャ以外のデータも読み込まなければいけない場合もあり、動画データのデコード処理負荷、メモリ転送量は相変わらず大きい。このように処理負荷が大きいため、同時に多数の動画データの同時再生を行うことは難しく、高速に複数の動画データを再生する検索方法を提供することは難しい。
【００１１】
また、多数の動画データを同時に再生するためには一般的に、同時に再生を行う動画データ数のデコード装置が必要であり、現在HDTV解像度のハードウェアデコーダを3個以上搭載した動画データ録画再生装置は市販されていない。その主たる原因は、チップ面積の増大、それに伴うコストの増大、また、消費電力の増大、複数チャンネルを同時再生するために必要なストリームデータのデータ転送量の不足等が考えられる。
【００１２】
本発明の目的は、上記の課題を解決し、放送により多数の動画データを蓄積した動画データ記録再生装置において、高速な動画データ検索をおこなえる動画データ記録再生装置を提供することにある。
【課題を解決するための手段】
【００１３】
上記課題を解決するために、本発明の動画データ記録再生装置は、第１の放送ストリームと前記第１の放送ストリームと同じ番組内容の簡易動画放送である第２の放送ストリームを含む地上波デジタル放送の動画データ記録再生装置であって、前記第１の放送ストリームと前記第２の放送ストリームを番組ごとに記録する動画データ記録部と、前記第１の放送ストリームと前記第２の放送ストリームに含まれる時刻情報から前記第１の放送ストリームと前記第２の放送ストリームとの時間同期情報を生成する時間同期情報生成部と、前記時間同期情報生成部により生成した時間同期情報を番組ごとに記録する時間同期情報記録部とを備えるようにし、前記第１の放送ストリームと前記第２の放送ストリームの表示切替えを容易にした。
【００１４】
あるいは、前記第２の放送ストリームを基に映像データの特徴部分を抽出する抽出簡易動画データ生成部と、前記第１の放送ストリームと前記抽出簡易動画データ生成部により生成された第３の放送ストリームを番組ごとに記録する動画データ記録部と、前記第１の放送ストリームと前記第３の放送ストリームに含まれる時刻情報から前記第１の放送ストリームと前記第３の放送ストリームとの時間同期情報を生成する時間同期情報生成部と、前記時間同期情報生成部により生成した時間同期情報を番組ごとに記録する時間同期情報記録部とを備えるようにし、前記第１の放送ストリームと前記第３の放送ストリームの表示切替えを容易にした。
【発明の効果】
【００１５】
本発明によれば、多数の動画像データの高速再生を低処理負荷でおこない、動画データ記録再生装置に保存されている多数の動画データを高速に検索することが出来るので、容易に視聴番組の選択をおこなえる動画記録再生装置を提供することができる。
【発明を実施するための最良の形態】
【００１６】
最初に、図１により、従来の動画データ記録再生装置の構成ならびに動作例の一例を示す。放送波等から供給された動画データ１２０は、サムネイル生成部１００に入力され、動画データ１２０から静止画であるサムネイル画像１３０が生成される。そして入力された動画データ１２０、サムネイル画像１３０は記憶装置１０１に格納される。
【００１７】
動画データの選択時には、記憶装置１０１に格納されたサムネイル画像１３０、１３１、１３２がサムネイル再生部１０３に入力され、表示部（図示せず）に複数のサムネイル画像を表示される。このとき、表示された動画データのサムネイル画像１３０、１３１、１３２の中から、動画データ選択部１０２によって簡易動画再生が指示されると、サムネイル再生部１０３は、選択されたサムネイル画像に換えて、選択されたサムネイル画像に対応する動画データを再生することが出来る。
【００１８】
簡易動画再生を指定された動画データの再生は、記憶装置101から指定された動画データ121を読み出し、実際の解像度よりも縮小して先頭から再生することにより行われる。選択されていない動画データについては、引き続きサムネイル画像を表示し続ける。
【００１９】
表示されているサムネイル画像と縮小動画表示されている動画データの中の1つが、動画データ選択部１０２によって選択され、再生が指示されると、記憶装置１０１から動画データ再生部１０４に対して、選択された動画データの動画データ選択情報140が送信され、動画データ再生部１０４により再生されて表示部（図示せず）に表示される。この構成では、同時に再生される動画データが１つでしかなく、先頭から再生されるため、ユーザが一度に多くの動画データの内容を高速に把握するのは難しい。
【００２０】
図２には、本発明に係る動画データ記録再生装置の一例が示される。図２に示される動画データ記録再生装置は、以降に詳細を説明する時間同期情報生成部２００、記憶装置１０１、動画データ選択部１０２、動画案内部２０３、動画データ再生部１０４を含む。
【００２１】
図２により説明する動画データ記録再生装置では、地上波デジタル放送方式により放送される動画データが、１セグデータ210と１２セグデータ120の２つのストリームにより供給され、さらに、１セグデータ210と１２セグデータ120のストリームにより同じサービスが提供されている。
【００２２】
時間同期情報生成部２００には、１２セグデータ１２０と１セグデータ２１０のストリームが入力されている。これらのストリームが同じ番組のデータである場合、ストリームに含まれる時刻同期情報ＰＴＳ（Ｐｒｅｓｅｎｔａｔｉｏｎ  Ｔｉｍｅ  Ｓｔａｍｐ）等を用いて、2つのデータの時間同期情報２３０を生成する。
【００２３】
地上デジタル放送における１２セグデータはＭＰＥＧ−２規格によって圧縮された放送ストリームであり、１セグデータはＭＰＥＧ−４ＡＶＣ／Ｈ．２６４規格によって圧縮された放送ストリームである。ＭＰＥＧ−４ＡＶＣ／Ｈ．２６４データの伝送ではＭＰＥＧ−２システムと同様にＰＴＳ（Ｐｒｅｓｅｎｔａｔｉｏｎ  Ｔｉｍｅ  Ｓｔａｍｐ）を用いて表示時刻の同期を行える。このＰＴＳを用いることで、１セグデータと１２セグデータの同期を行うことが出来る。
【００２４】
また、１セグデータは、システムの多重化方式としてＭＰＥＧ−２ＴＳ（Ｔｒａｎｓｐｏｒｔ  Ｓｔｒｅａｍ）が使用されているが、各ピクチャの表示時刻を正確に表現するために、バッファリング期間ＳＥＩであるＢＰ  ＳＥＩ（Ｂｕｆｆｅｒｉｎｇ  Ｐｅｒｉｏｄ  ＳＥＩ）ならびにピクチャ・タイミングＳＥＩであるＰＴ  ＳＥＩ（Ｐｉｃｔｕｒｅ  Ｔｉｍｉｎｇ  ＳＥＩ）を挿入することが可能となっている。このＢＰ  ＳＥＩならびにＰＴ  ＳＥＩを用いて復号・表示時刻を取得することも出来るため、これを用いて時間同期情報２３０を生成することも出来る。
【００２５】
さらに、ＭＰＥＧ−４ＡＶＣ／Ｈ．２６４規格ではピクチャの表示順序を示すＰＯＣ（Ｐｉｃｔｕｒｅ  Ｏｒｄｅｒ  Ｃｏｕｎｔ）値に基づいて復号・表示時刻を取得する方法も存在する。複数の取得方法は存在するが、いずれにせよ取得される復号・表示時刻は同じであり、時間同期情報生成部２００は、これらの復号・表示時刻情報を元に時間同期情報２３０を生成する。
【００２６】
つぎに、図４により時間同期情報230の詳細を説明する。図４に示すように、番組同期情報は、１セグデータ（簡易動画データ）と１２セグデータ（動画データ）とともに、番組ごとに管理されている。より詳しくは、番組Ａの１２セグデータ１２０と番組Ａの１セグデータ２１０によって番組Ａの時間同期情報２３０が生成され、これらが記憶装置１０１に格納される。同様に、番組Ｂの１２セグデータ１２１と番組Ｂの１セグデータ２１１によって番組Ｂの時間同期情報２３１が、番組Ｃの１２セグデータ１２２と番組Ｃの１セグデータ２１２によって番組Ｃの時間同期情報２３２が生成され、記憶装置１０１に格納される。
【００２７】
ここで、時間同期情報には、動画データの先頭からの再生時間、１２セグデータならびに１セグデータが記憶装置１０１上に保存されるときのアドレスが含まれている。更に、対応する動画データに含まれる字幕、ジャンル、番組情報、録画時間、録画時刻などが含まれていてもよい。
【００２８】
上記記憶装置１０１は、ハードディスクやフラッシュメモリといったストレージ機器や記憶素子と、ストレージ機器や記憶素子に対してデータの読み書きやアドレスの制御などを行う装置からなり、時間同期情報２３０、２３１，２３２、簡易動画データ２１０、２１１、２１２、動画データ１２０、１２１、１２２を記憶する。
【００２９】
動画案内部２０３は、記憶装置１０１に格納された動画データのうち当該装置の利用者が容易に動画データの選択をおこなえるよう制御する手段である。動画案内部２０３から、記憶装置１０１に対して動画データ選択情報２４０が入力されると、その情報に基づいて記憶装置１０１は、時間同期情報２３０〜２３２、簡易動画データ２１０〜２１２、動画データ１２０〜１２２を動画案内部２０３や動画データ再生部１０４へ出力する。動画データ選択情報には、選択された動画データの種類、動画データのアドレスなどが含まれる。
【００３０】
上記動画データ選択部１０２は、動画案内装置２０３にて表示されている１セグデータ、もしくは記憶装置１０１に記憶されている複数の１セグデータ、１２セグデータの中から処理を行いたいデータを選択し、動作指示を動画案内装置２０３に対して送信する。ここで、動作指示には再生、早送り、巻戻し、一時停止、停止、ランダム再生、再生リストの編集といった指示を行えるものとする。これらの動作指示は同時に複数の１セグデータに対しても行うことが出来る。この場合には、複数の１セグデータの同時再生を行う。
【００３１】
さらに、早送り処理を例に挙げれば、動画選択部１０２が任意の時間まで早送り処理を指示した場合、動画案内部２０３は複数の１セグデータ全体を指定された時間まで早送り再生する。また、動作指示には、選択された動画データの種類、再生開始時間、再生速度などが含まれる。
【００３２】
上記動画案内部２０３は、記憶装置１０１に格納されている複数の時間同期情報ならびに複数の１セグデータを読み込み、複数の１セグデータの同時再生を行う。また、動画データ選択部１０２によって、再生する動画データが選択された場合に、選択された１２セグデータ、１セグデータ、時間同期情報、動画データ選択部１０２からの動作指示に基づいて記憶装置１０１に対して動画データ選択情報２４０を送信する。
【００３３】
また、記憶装置１０１から入力される複数の１セグデータを用いて、それらの１セグデータを複数同時再生する。動画データ選択情報２４０には、選択された動画データの種類、動画データのアドレスなどが含まれ、例えば、任意の１セグデータを動画案内部２０３へ出力させるための情報や、任意の１２セグデータを動画データ再生部に出力するための情報が含まれる。
【００３４】
動画案内部２０３における複数の１セグデータの再生に関して、１セグデータならびに後述する特徴点を抽出して作成した抽出簡易動画データは、それぞれ再生時間が一定ではない。そこで、動画案内部２０３は、再生する番組リストを持ち、再生中の１セグデータが終了した時点でリスト上の次のファイルを再生させることが出来る。また、リスト内の１セグデータをランダムに再生させることも出来る。
【００３５】
また、選択した画面一覧の１セグデータが全て再生し終わるまで再生する１セグデータを変更せず、停止した１セグデータは静止画として表示させておくことも出来る。また、音声データに関しては、選択した１セグデータについて再生し続けることや、一定時間毎にランダムに切り替えることも出来る。
【００３６】
動画案内部２０３における複数の１セグデータの再生において、動画案内部２０３では巻戻し再生を行うことが出来る。例えば、動画案内部２０３による検索を行っていて、選択したい番組が見つかった直後に、再生される１セグデータが違うものに切り替わった場合、巻き戻し機能を用いて１セグデータならびにその再生時刻を選択することが出来る。また、１セグデータの再生ならびにランダム再生において、一定時間毎に再生するデータを切り替えていくようにしてもよい。
【００３７】
動画案内部２０３は、複数の１セグデータを同時再生する際に、１セグデータを先頭から再生することができ、また、指定された時間が経過した部分から再生することもでき、さらに、前回視聴していた途中の部分から再生することもできる。再生時間の指定は動画データ選択部１０２によって指定される。更に、再生を行う１セグデータの数を設定することができ、画面に表示する１セグデータの最大数も設定することができる。最大数を越えた１セグデータが記憶装置１０１内に存在する場合は、任意の時間が経過すると再生する１セグデータを切り替えるようにしてもよい。この任意の時間は設定できる。
【００３８】
動画データ再生部１０４は、動画データ選択部１０２によって選択された１２セグデータが、記憶装置１０１より入力され、再生する。図２の例では、１セグデータ２１１が動画データ選択部１０２によって選択され、１セグデータ２１１に対応する１２セグデータ１２１の再生指示が動画データ選択部１０２から動画案内部２０３に与えられ、動画案内部２０３から記憶装置１０１に対して、１２セグデータ１２１を動画データ再生部１０４に送るための動画データ選択情報２４０が送信され、記憶装置１０１は動画データ１２１を動画データ再生部１０４へ出力する。
【００３９】
つぎに、図２の構成における高速検索の動作例について説明する。
前記時間同期情報生成部２００によって生成される時間同期情報２３０は、１セグデータ２１０上のある時刻を指定した場合に、対応する１２セグデータ１２０上の同じ内容の位置を高速に読み出すための情報である。前述したとおり、１セグデータ２１０ならびに動画データ１２０に含まれる時刻同期情報に基づいて、１セグデータ２１０と１２セグデータ１２０の時間同期情報２３０が生成される。同様に、１２セグデータ１２１と１セグデータ１１１から時間同期情報２３１が、１２セグデータ１２２と１セグデータ１１２から時間同期情報２３２が生成される。
【００４０】
また、記憶装置１０１に保存される１２セグデータ１２０〜１２２ならびに１セグデータ２１０〜２１２は、同期情報に基づいて、元の１２セグデータならびに元の１セグデータに対して分割されて記録されてもよい。例えば、時間同期情報２３０が持つ時間の刻み幅に応じて、１セグデータ２１０と１２セグデータ１２０をまとめて保存することで、動画案内部２０３からの動画データ選択情報２４０を受けたときの動画データへの切り替えを高速に行うことが出来る。
【００４１】
また、１セグデータと１２セグデータの保存するアドレスの差を一定の値にして保存しておくことで、１セグデータと１２セグデータ（動画データ）のアドレス切り替えの際に時間同期情報２３０を毎回参照せずに１２セグデータならびに１セグデータの再生を行うことができる。また、この方法により切り替えを高速に行えると同時にデータ読み出しの際の低消費電力化をはかることができる。また、フラッシュメモリなどの複数の媒体、もしくはバンクに分割しておくことで、再生が高速化できる。
【００４２】
動画案内部２０３は、記憶装置１０１から時間同期情報２３０〜２３２と１セグデータ２１０〜２１２を読み出し、１セグデータ２１０〜２１２を同時再生する。ここで、動画データ選択部１０２が１セグデータ２１１上のある時刻を選択したとすると、動画案内部２０３は選択された１セグデータとその時刻に対応する１２セグデータの動画データ選択情報２４０を、記憶装置１０１に対して出力し、記憶装置１０１は対応する動画データ１２１を、動画データ再生部１０４に対して送信する。動画データ再生部１０４は記憶装置１０１から入力された動画データ１２１を再生する。
【００４３】
上記動画案内部２０３では、１セグデータ２１０〜２１２を時分割にデコード処理し、ユーザに対してはすべて同時に再生しているように見せるものとする。ただし、動画案内部は複数のデコーダを含んでいてもよい。
【００４４】
図３により本発明に係る動画データ記録再生部の他の実施例を説明する。図２の構成に対し図３の構成では、抽出簡易動画データ生成部３００によって１セグデータを基に動画データの特徴的な部分を抽出することができる。
【００４５】
図３の抽出簡易動画データ生成部３００は、動画データの特徴抽出技術を用いて、１セグデータから特徴的な部分を抽出した抽出１セグデータ３１０を生成する。このとき、抽出簡易動画データ生成部３００では、動画データ選択装置１０２によって指定された時間内に収まるように抽出１セグデータを作成することが出来る。また、抽出は、指定時間内に収まるように動画データの内容からランダムに動画データを抽出することも出来る。
【００４６】
そのように抽出された特徴的な部分に対して、抽出動画データ生成部３００は、抽出１セグデータ３１０に対応した部分の時間同期情報である抽出時間同期情報３３０を作成する。この時、抽出１セグデータ３１０と抽出時間同期情報３３０を記憶装置に保存し、１セグデータ２１０と時間同期情報２３０を記憶装置に保存しないようにすれば、記憶装置１０１に保存する容量が削減される。
【００４７】
動画案内部２０３は、抽出１セグデータ３１０、３１１、３１２を入力し、同時に再生する。動画データ選択部１０２によって抽出１セグデータ３１１のある再生時刻が選択されると、選択された抽出１セグデータ３１１に対応する抽出時間同期情報３３１を参照して、動画データ選択情報３４０を記憶部１０１に出力する。記憶装置１０１から、動画データ選択情報３４０によって選択された１２セグデータが動画データ再生装置にて再生される。このとき、抽出１セグデータデータに含まれる再生時間に対応する部分から１２セグデータを表示させることも出来るし、抽出１セグデータに含まれない部分、例えば先頭から１２セグデータを再生することもできる。
【００４８】
特徴的な部分を抽出する際に、１２セグデータも抽出１セグデータに対応する部分のみへとデータを削減して記憶装置１０１に保存することも出来、それによってデータ量をさらに削減することができる。
【図面の簡単な説明】
【００４９】
【図１】従来の動画データ記録再生システムの構成の一例を示す図である。
【図２】本発明にかかる動画データ記録再生装置の構成の一例を示す図である。
【図３】本発明にかかる動画データ記録再生装置の構成の一例を示す図である。
【図４】本発明にかかる、番組の種類、時間同期情報、１セグデータ、動画データの関係を表す図である。
【符号の説明】
【００５０】
１００…サムネイル生成部、１０１…記憶装置、１０２…動画データ選択部、１０３…サムネイル再生部、１０４…動画データ再生部、１２０〜１２２…動画データ、１３０〜１３２…サムネイル画像、１４０…動画データ選択情報、２００…時間同期情報生成部、  ２１０〜２１２…１セグデータ、２３０〜２３２…時間同期情報、２４０…動画データ選択情報、３００…抽出動画データ生成部、３１０〜３１２…抽出１セグデータ、３３０〜３３２…抽出時間同期情報、３４０…動画データ選択情報
【図１】
2008277930.tif 000003
【図２】
2008277930.tif 000004
【図３】
2008277930.tif 000005
【図４】
2008277930.tif 000006